(57)【要約】【課題】ハサミ状フレームの構造強度を向上するとともにバックライト装置や表示装置を有するキー構造を提供する。【解決手段】キー構造は、表示領域を有し、且つ該表示領域の一側に弾性接触体が設けられる底板と、該底板の表示領域の上方に設けられ、且つ該弾性接触体に対応して押圧部が設けられるキーキャップと、該表示領域の周囲に置かれ、上接続部及び下接続部を有し、該上接続部が該キーキャップの底部に接続され、該下接続部が該底板に接続される、中空構造を有するハサミ状フレームとを含む。【選択図】図１
0003165358.tif 000002
【実用新案登録請求の範囲】
【請求項１】
表示領域を有し、且つ該表示領域の一側に弾性接触体が設けられる底板と、
該底板の表示領域の上方に設けられ、且つ該弾性接触体に対応して押圧部が設けられるキーキャップと、
該表示領域の周囲に置かれ、上接続部及び下接続部を有し、該上接続部が該キーキャップの底部に接続され、該下接続部が該底板に接続される、中空構造を有するハサミ状フレームとを含むキー構造。
【請求項２】
該ハサミ状フレームは複数のロッド及び対称する２つの交差部からなることを特徴とする請求項１記載のキー構造。
【請求項３】
該対称する２つの交差部がそれぞれ１つの固定端及び４つの自由端を有し、該自由端がスリーブを有し、各ロッドの両端が該対称する２つの交差部の対応する自由端のスリーブに置かれて該対称する２つの交差部を接続することにより、該ハサミ状フレームを形成することを特徴とする請求項２記載のキー構造。
【請求項４】
該上接続部の一側の両端には該ロッドを該スリーブに通して第２凸部を形成し、下接続部の両端には該ロッドを該スリーブに通して第１凸部を形成することを特徴とする請求項３記載のキー構造。
【請求項５】
該表示領域は開口領域であることを特徴とする請求項１記載のキー構造。
【請求項６】
該表示領域は透明であることを特徴とする請求項１記載のキー構造。
【請求項７】
該表示領域の一側に貫通孔が設けられ、該貫通孔に該弾性接触体が設置されることを特徴とする請求項１記載のキー構造。
【請求項８】
該表示領域の周囲には、該ハサミ状フレームの下接続部に対応して、該下接続部を接続する複数の第１固定部材が設けられることを特徴とする請求項１記載のキー構造。
【請求項９】
該第１固定部材は逆Ｌ字状をなす係合部であることを特徴とする請求項１２記載のキー構造。
【請求項１０】
該キーキャップの底部には、該ハサミ状フレームの上接続部に対応して、該上接続部を接続する枢設部及び第２固定部材が設けられることを特徴とする請求項１記載のキー構造。
【請求項１１】
該枢設部は挟持部材であり、該第２固定部材は逆Ｌ字状をなす係合部であることを特徴とする請求項１４記載のキー構造。
【請求項１２】
該キーキャップには透光領域が設けられることを特徴とする請求項１記載のキー構造。
【請求項１３】
該表示領域の下方に設けられる表示装置をさらに含み、使用者は該表示領域及び該キーキャップの透光領域を通して、表示装置により示される画面を見ることができることを特徴とする請求項１２記載のキー構造。
【請求項１４】
該表示領域の下方に設けられて、該キーキャップの透光領域に合わせて該キーキャップの表面に光を提供するバックライト装置をさらに含むことを特徴とする請求項１２記載のキー構造。
【請求項１５】
該バックライト装置は導光板と該導光板の一側に置かれる光源とを含むことを特徴とする請求項１４記載のキー構造。
【請求項１６】
該光源はＬＥＤランプ又は電界発光シートであることを特徴とする請求項１５記載のキー構造。
【考案の詳細な説明】
【技術分野】
【０００１】
本考案はキー構造に関し、特に、ハサミ状フレームの構造強度を向上するとともにバックライト装置や表示装置を有するキー構造に関する。
【背景技術】
【０００２】
卓上型パソコンやノート型パソコンなどのコンピュータは、交通や、商業上のやりとり、クライアントとの連絡、文書処理、コンピュータグラフィックなどの分野に広く応用されている。使用者は、コンピュータの高性能だけでなく、マウスやキーボードなどのコンピュータの周辺機器の使用上の利便性及び美観性も重視してきている。中でも、キーボードは重要な入力装置の一つである。一方、キーボードは、コンピュータだけでなく、携帯電話や個人用携帯情報端末（ＰＤＡ：Personal digital assistant）などの携帯型電子装置にも応用されている。また、照明の弱いところや暗いところでも使用者がキーボードを視認できるように、発光するキーボードが種々開発されているが、バックライト装置や表示装置を有するキーボードは今日まで一般的に提供されていなかった。
【０００３】
従来のキーボードのキー構造は図６に示すように、キーキャップ１０、ハサミ状フレーム２０、支持ブラケット３０、弾性接触体４０及びメンブレン式回路板５０を含む。ハサミ状フレーム２０はロ字状をなし、上接続部及び下接続部を有し、上接続部がキーキャップ１０に接続され、下接続部が支持ブラケット３０に接続される。ハサミ状フレーム２０の中央に孔３１が開いており、弾性接触体４０は孔３１を通ってキーキャップ１０とメンブレン式回路板５０との間に置かれる。ハサミ状フレーム２０は一般にプラスチック成形により作られ、四箇所のみにおいて連結される。
【０００４】
しかし、ハサミ状フレーム２０の孔３１が弾性接触体４０の設置に十分であるが、キーキャップ１０の下方がバックライト装置や表示装置の設置に十分ではなかった。また、ハサミ状フレーム２０及び弾性接触体４０がバックライト装置や表示装置からキーキャップ１０に伝わる光を遮断するので、前記キー構造が良い発光や表示の機能を提供できなかった。従って、前記従来のキーボードはバックライトや表示の機能を有しない。
【０００５】
一方、スベースキーなどの長いキーは、２つの側縁に作用する力が釣り合わない原因で振れや押下不能が発生するので、接触不良が起こり、キー入力が無効になる。この問題に対し、受ける力が釣り合うようにするとともに連結強度を向上するために、一般にキーキャップの下方に金属製の釣り合いロッドを設ける。例えば、特許文献１は知られている。
【０００６】
特許文献１によるキーボードのキー構造はベースと、ベースの上に設けられるキーキャップと、キーキャップとベースとの間に設けられる釣り合いロッドと、キーキャップとベースとの間に設けられるハサミ状構造とを含む。そのうち、ハサミ状構造もロ字状をなすハサミ状フレームであり、中央に孔が設けられ、その孔を通して弾性接触体がキーキャップの下方に設けられる。また、ハサミ状構造及び釣り合いロッドにより、キーキャップはベースに対して上下動可能になっている。
【０００７】
しかし、ハサミ状構造及び弾性接触体の設置方式により、キーキャップの下方はバックライト装置や表示装置の設置に十分ではない。また、ハサミ状構造及び弾性接触体が、バックライト装置や表示装置からキーキャップの表面に伝わる光を遮断するので、前記特許によるキー構造がよい発光や表示の機能を提供できなかった。従って、前記特許によるキーボードもバックライトや表示の機能を有しない。
【先行技術文献】
【特許文献】
【０００８】
【特許文献１】米国特許第６７２６０９３号明細書
【考案の概要】
【考案が解決しようとする課題】
【０００９】
本考案は剛性を強めるキー構造を提供することを目的とする。
本考案は入力機能及び表示機能を兼ねるキー構造を提供することを他の目的とする。
本考案は発光効率を向上する、バックライト装置を備えるキー構造を提供することを他の目的とする。
【００１０】
本考案は構造簡単な、組み立て容易な及びコストダウン可能なキー構造を提供することを他の目的とする。
【課題を解決するための手段】
【００１１】
前記目的を達成するためのキー構造は、表示領域を有し且つ該表示領域の一側に弾性接触体が設けられる底板と、該底板の表示領域の上方に設けられ、且つ該弾性接触体に対応して押圧部が設けられるキーキャップと、該表示領域の周囲に置かれ、上接続部及び下接続部を有し、該上接続部が該キーキャップの底部に接続され、該下接続部が該底板に接続される、中空構造を有するハサミ状フレームとを含む。
【００１２】
好ましくは、該ハサミ状フレームは複数のロッド及び対称する２つの交差部からなる。
好ましくは、該対称する２つの交差部がそれぞれ１つの固定端及び４つの自由端を有し、該自由端がスリーブを有し、各ロッドの両端が該対称する２つの交差部の対応する自由端のスリーブに置かれて該対称する２つの交差部を接続することにより、該ハサミ状フレームを形成する。
【００１３】
好ましくは、該上接続部の一側の両端には該ロッドを該スリーブに通して第２凸部を形成し、下接続部の両端には該ロッドを該スリーブに通して第１凸部を形成する。
好ましくは、該表示領域は開口領域である。
【００１４】
好ましくは、該表示領域は透明である。
好ましくは、該表示領域の一側に貫通孔が設けられ、該貫通孔に該弾性接触体が設置される。
【００１５】
好ましくは、該表示領域の周囲には、該ハサミ状フレームの下接続部に対応して、該下接続部を接続する複数の第１固定部材が設けられる。
好ましくは、該第１固定部材は逆Ｌ字状をなす係合部である。
【００１６】
好ましくは、該キーキャップの底部には、該ハサミ状フレームの上接続部に対応して、該上接続部を接続する枢設部及び第２固定部材が設けられる。
好ましくは、該枢設部は挟持部材であり、該第２固定部材は逆Ｌ字状をなす係合部である。
【００１７】
好ましくは、該キーキャップには透光領域が設けられる。
好ましくは、本考案のキー構造は該表示領域の下方に設けられる表示装置をさらに含み、使用者は該表示領域及び該キーキャップの透光領域を通して、表示装置により示される画面を見ることができる。
【００１８】
好ましくは、本考案のキー構造は該表示領域の下方に設けられて、該キーキャップの透
光領域に合わせて該キーキャップの表面に光を提供するバックライト装置をさらに含む。
好ましくは、該バックライト装置は導光板と該導光板の一側に置かれる光源とを含む。
【００１９】
好ましくは、該光源はＬＥＤランプ又は電界発光シート（electroluminescent sheet）である。
上述をまとめると、本考案のキー構造は、金属材質のロッドを有し且つインサートモールド成形法により製造されるハサミ状フレームを設けることにより、従来のキー構造に比較して簡単で組み立て容易でコストが低く、且つキー構造の連結強度、釣り合う効果及び安定性を向上できる。
【００２０】
また、底板の表示領域を開口領域とし、ハサミ状フレームを開口領域の周囲に置き、弾性接触体を開口領域の一側の貫通孔に置き、且つ表示装置を開口領域の下方に置くことにより、使用者は開口領域及びキーキャップの透光領域を通して表示装置により示される画面を見ることができるので、本考案のキー構造はキー入力機能及び表示機能を兼ねる。
【００２１】
さらに、表示領域の下方にバックライト装置を設けることにより、バックライト装置は表示領域としての開口領域を通してキーキャップの透光領域に合せてキーキャップの表面に光を提供できるので、本考案のキー構造は発光でき、キー入力機能及びバックライト機能を兼ねる。
【図面の簡単な説明】
【００２２】
【図１】は本考案の一実施例によるキー構造を上から見て示す分解斜視図である。
【図２】は同実施例によるキー構造を下から見て示す分解斜視図である。
【図３】は同実施例によるキー構造を示す斜視図である。
【図４】は本考案の他の実施例によるキー構造を模式的に示す分解斜視図である。
【図５】は本考案のさらに他の実施例によるキー構造を模式的に示す分解斜視図である。
【図６】は従来のキー構造を模式的に示す斜視図である。
【考案を実施するための形態】
【００２３】
本考案はその好ましい実施例に係る図面を参照して十分に説明するが、本考案の特徴及び構造を分かり易くするために、図面には本考案に直接に関連する構造のみを示し、他の部分は省略する。なお、本考案は後述の実施例に制限されるものではなく、当業者は明細書で説明されている考案を変更できるとともに、本考案の効果が得られる。従って、後述の説明は当業者にとって一般的な開示であり、本考案を制限しない。
【００２４】
図１は本考案の一実施例によるキー構造を示す分解斜視図である。図１に示すように、キー構造１は底板２、弾性接触体６、ハサミ状フレーム７及びキーキャップ８を含む。底板２は中央に表示領域３が形成され、周囲に複数の第１固定部材４が設けられ、表示領域３の一側に貫通孔５が設けらる。弾性接触体６は底板２の貫通孔５に置かれる。ハサミ状フレーム７は表示領域３の周囲に置かれ、上接続部及び下接続部を有する。キーキャップ８は透光であり、ハサミ状フレーム７の上に設けられ、底板２の貫通孔５及び弾性接触体６に対応して押圧部９が設けられる。
【００２５】
図２は本考案によるキー構造を下から見て示す分解斜視図である。図２に示すように、キー構造１のハサミ状フレーム７は複数のロッド７１及び対称する２つの交差部７２からなり、これらの部材が上接続部及び下接続部を形成する。交差部７２は１つの固定端及び４つの自由端を有し、自由端はスリーブ７５を有する。
【００２６】
また、前記ロッド７１の両端を前記２つの交差部７２の対応する自由端のスリーブ７５
に置いて、２つの交差部７２を接続することにより、ハサミ状フレーム７を形成する。また、ハサミ状フレーム７は複数のロッド７１及び対称する２つの交差部７２のみからなり、且つ表示領域３の周囲に置かれるので、ハサミ状フレーム７の中央は表示領域３に対応して中空構造を形成する。
【００２７】
さらに、前記キーキャップ８の底部には複数の枢設部８１及び複数の第２固定部材８２が設けらている。上接続部はキーキャップ８の底部の枢設部８１に枢設されるとともに、第２固定部材８２に装着される。下接続部は底板２の第１固定部材４に装着される。また、キーキャップ８には表示領域３に合せて透光領域が設けられている。
【００２８】
本実施例では、表示領域３は開口領域であり又は透明材料からなり、第１固定部材４は逆Ｌ字状をなす係合部である。下接続部の両端にはロッド７１をスリーブ７５に通して第１凸部７３を形成する。第１凸部７３を係合部（第１固定部材４）に係合し突き当てることにより、ハサミ状フレーム７の下接続部を底板２に固定する。
【００２９】
また、本実施例では、キーキャップ８の枢設部８１は挟持部材であり、第２固定部材８２は逆Ｌ字状をなす係合部である。上接続部の一側の両端にはロッド７１をスリーブ７５に通して第２凸部７４を形成し、第２凸部７４は係合部（第２固定件８２）に係合し突き当たっている。上接続部の他側では、ロッド７１とキーキャップ８の挟持部材（枢設部８１）とが挟み及び係合により接続される。これにより、上接続部とキーキャップ８とは接続固定される。
【００３０】
図３は同実施例によるキー構造を示す斜視図である。図１、図２及び図３に示すように、キー構造１を組立てるには、前記弾性接触体６を底板２の貫通孔５に置き、ハサミ状フレーム７を底板２の表示領域３の周囲に置く。また、ハサミ状フレーム７の下接続部の第１凸部７３は底板２の係合部（第１固定部材４）に係合し突き当たり、ハサミ状フレーム７の上接続部の第２凸部７４はキーキャップ８の係合部（第２固定部材８２）に係合し突き当たり、キーキャップ８の底部の挟持部材（枢設部８１）はハサミ状フレーム７のロッド７１を挟持する。これにより、ハサミ状フレーム７はキーキャップ８と底板２との間に固定され、本考案のキー構造１の組み立ては完成である。
【００３１】
あるキーを押圧することにより該キーに対応するコマンドを入力するとき、キーキャップ８の押圧部９が底板２の貫通孔５及び弾性接触体６に対応する上方に置かれるので、キーキャップ８を押下すると、押圧部９が弾性接触体６が押し下げられ、弾性接触体６がマトリクス回路（図示せず）に接触する。これにより、該キーに対応するコマンドが出力される。
【００３２】
さらに、本実施例において、前記ハサミ状フレーム７はインサートモールド成形法により製造され、即ち、ロッド７１を金型内に置いた後、溶融プラスチックを注入して成形される。また、ハサミ状フレーム７の交差部７２はプラスチック材質であり、ハサミ状フレーム７のロッド７１は金属材質であることにより、キー構造の連結強度、釣り合う効果及び安定性を向上する。
【００３３】
図４は本考案の他の実施例によるキー構造を模式的に示す分解斜視図である。図４に示すように、本実施例は図１の実施例とほぼ同じであり、底板２の下方に表示装置１０をさらに設置する点のみで異なる。これにより、キーに対応するコマンドを表示装置１０の画面に表示し、使用者は表示領域３及びキーキャップ８の透光領域を通して表示装置１０に示される画面を見ることができる。従って、本考案のキー構造１は表示機能を有する。
【００３４】
図５は本考案のさらに他の実施例によるキー構造を模式的に示す分解斜視図である。図
５に示すように、本実施例は図１の実施例とほぼ同じであり、表示領域３の下方にバックライト装置を設置する点のみで異なる。これにより、キーキャップ８の透光領域に合せてキーキャップ８の表面に光を提供できる。従って、本考案のキー構造は発光できる。
【００３５】
本実施例において、バックライト装置は導光板２０と導光板２０の一側に置かれる光源３０とを含む。光源３０が光を出射し、光は導光板２０に入射した後、導光板２０から上向きに出射し、キーキャップ８に到達してキーキャップ８を発光させる。これにより、本考案によるキー構造は発光の効果が得られ、発光効率を向上できる。なお、本実施例において、前記光源はＬＥＤ又は電界発光シート又はその他の発光素子である。
【００３６】
本考案によるキー構造では、金属材質のロッドを有しインサートモールド成形法により製造されるハサミ状フレームを設けることにより、キー構造の連結強度、釣り合う効果以及び安定性を向上できる。
【００３７】
また、前記のように、底板の表示領域を開口領域とし、ハサミ状フレームを表示領域の周囲に置き、弾性接触体を表示領域の一側の貫通孔に置き、表示装置を表示領域の下方に置くことにより、使用者は表示領域及びキーキャップの透光領域を通して表示装置に示される画面を見ることができる。従って、本考案によるキー構造はキー入力機能及び表示機能を兼ねる。
【００３８】
さらに、前記のように、表示領域の下方にバックライト装置を設けることにより、バックライト装置は表示領域としての開口領域を通してキーキャップの透光領域に合せてキーキャップの表面に光を提供できるので、本考案によるキー構造は発光できる。従って、本考案によるキー構造はキー入力機能及びバックライト機能を兼ねる。
【００３９】
本考案の好ましい実施例を詳しく説明したが、当業者であれば、特許請求の範囲とその要旨を逸脱しない限り種々変更ができ、且つ本考案は明細書において挙げられている実施例に制限されない。例えば、本考案によるハサミ状フレームのロッドは金属材質に限らず、プラスチック材質でもよい。同様に、交差部はプラスチック材質に限らず、金属材質でもよい。
【符号の説明】
【００４０】
１  キー構造
２  底板
３  表示領域
４  第１固定部材
５  貫通孔
６  弾性接触体  
７  ハサミ状フレーム
８  キーキャップ
９  押圧部
１０  表示装置
２０  導光板
３０  光源
７１  ロッド
７２  交差部
７３  第１凸部
７４  第２凸部
７５  スリーブ
８１  枢設部
８２  第２固定部材
【図１】
0003165358.tif 000003
【図２】
0003165358.tif 000004
【図３】
0003165358.tif 000005
【図４】
0003165358.tif 000006
【図５】
0003165358.tif 000007
【図６】
0003165358.tif 000008
【手続補正書】
【提出日】平成22年11月10日(2010.11.10)
【手続補正１】
【補正対象書類名】実用新案登録請求の範囲
【補正対象項目名】全文
【補正方法】変更
【補正の内容】
【実用新案登録請求の範囲】
【請求項１】
表示領域を有し、且つ該表示領域の一側に弾性接触体が設けられる底板と、
該底板の表示領域の上方に設けられ、且つ該弾性接触体に対応して押圧部が設けられるキーキャップと、
該表示領域の周囲に置かれ、上接続部及び下接続部を有し、該上接続部が該キーキャップの底部に接続され、該下接続部が該底板に接続される、中空構造を有するハサミ状フレームとを含むキー構造。
【請求項２】
該ハサミ状フレームは複数のロッド及び対称する２つの交差部からなることを特徴とする請求項１記載のキー構造。
【請求項３】
該対称する２つの交差部がそれぞれ１つの固定端及び４つの自由端を有し、該自由端がスリーブを有し、各ロッドの両端が該対称する２つの交差部の対応する自由端のスリーブに置かれて該対称する２つの交差部を接続することにより、該ハサミ状フレームを形成することを特徴とする請求項２記載のキー構造。
【請求項４】
該上接続部の一側の両端には該ロッドを該スリーブに通して第２凸部を形成し、下接続部の両端には該ロッドを該スリーブに通して第１凸部を形成することを特徴とする請求項３記載のキー構造。
【請求項５】
該表示領域は開口領域であることを特徴とする請求項１記載のキー構造。
【請求項６】
該表示領域は透明であることを特徴とする請求項１記載のキー構造。
【請求項７】
該表示領域の一側に貫通孔が設けられ、該貫通孔に該弾性接触体が設置されることを特徴とする請求項１記載のキー構造。
【請求項８】
該表示領域の周囲には、該ハサミ状フレームの下接続部に対応して、該下接続部を接続する複数の第１固定部材が設けられることを特徴とする請求項１記載のキー構造。
【請求項９】
該第１固定部材は逆Ｌ字状をなす係合部であることを特徴とする請求項８記載のキー構造。
【請求項１０】
該キーキャップの底部には、該ハサミ状フレームの上接続部に対応して、該上接続部を接続する枢設部及び第２固定部材が設けられることを特徴とする請求項１記載のキー構造。
【請求項１１】
該枢設部は挟持部材であり、該第２固定部材は逆Ｌ字状をなす係合部であることを特徴とする請求項１０記載のキー構造。
【請求項１２】
該キーキャップには透光領域が設けられることを特徴とする請求項１記載のキー構造。
【請求項１３】
該表示領域の下方に設けられる表示装置をさらに含み、使用者は該表示領域及び該キーキャップの透光領域を通して、表示装置により示される画面を見ることができることを特徴とする請求項１２記載のキー構造。
【請求項１４】
該表示領域の下方に設けられて、該キーキャップの透光領域に合わせて該キーキャップの表面に光を提供するバックライト装置をさらに含むことを特徴とする請求項１２記載のキー構造。
【請求項１５】
該バックライト装置は導光板と該導光板の一側に置かれる光源とを含むことを特徴とする請求項１４記載のキー構造。
【請求項１６】
該光源はＬＥＤランプ又は電界発光シートであることを特徴とする請求項１５記載のキー構造。